(57)【要約】【課題】遊技盤の遊技機枠への着脱容易化を図る。【解決手段】遊技盤８が遊技機枠５に取り付けられる場合、盤側取付構造体２の上滑走係合部１４が遊技機枠５に設けられた枠側取付構造体１の上滑走係合部１６に嵌め込まれ、盤側取付構造体２の下滑走係合部１５が枠側取付構造体１の下滑走係合部１７に嵌め込まれた後、遊技盤８の左側部が枠側取付構造体１の方向に押し込まれることによって、上滑走係合部１４と上滑走係合部１６とが互いに嵌まり合って直線的に滑走し、下滑走係合部１５と下滑走係合部１７とが互いに嵌まり合って直線的に滑走し、枠側取付構造体１と盤側取付構造体２とが互いに正常に取り付けられ、遊技盤８を遊技機枠５に取り付けたり、遊技盤６を遊技機枠５から取り外したりする作業を容易に行うことができる。【選択図】図１
2006254933.tif 000002
【特許請求の範囲】
【請求項１】
枠側取付構造体が可動枠の左側部に回転可能に取り付けられ、盤側取付構造体が遊技盤の左側部に固定的に設けられ、枠側取付構造体が可動枠の盤収納室の内部からの可動枠の前側に横方向に回転された状態において、遊技盤が遊技機枠に取り付けられるパチンコ機の遊技盤取付装置であって、盤側取付構造体が枠側取付構造体に嵌め合わせて取り付けられる枠側取付構造体が縦骨格部と上滑走係合部および下滑走係合部を備えた一体の形状であり、盤側取付構造体が縦骨格部と上滑走係合部および下滑走係合部を備えた一体の形状であり、遊技盤が遊技機枠に取り付けられる場合、盤側取付構造体の上部に位置する上滑走係合部が枠側取付構造体の上部に位置する上滑走係合部に嵌め込まれ、盤側取付構造体の下部に位置する下滑走係合部が枠側取付構造体の下部に位置する下滑走係合部に嵌め込まれた後、遊技盤の左側部が枠側取付構造体の方向に直線的に押し込まれることによって、遊技盤の左側部が遊技機枠の左側部に盤側取付構造体と枠側取付構造体とで取り付けられたことを特徴とするパチンコ機の遊技盤取付装置。
【請求項２】
可動枠が開度保持部を備え、枠側取付構造体が前側に回転された場合に可動枠の開度保持部と係合して枠側取付構造体の前側に回転された位置を保持するための開度保持部を備えたことを特徴とする請求項１記載のパチンコ機の遊技盤取付装置。
【請求項３】
枠側取付構造体が前側に回転された場合に上滑走係合部の前端部と下滑走係合部の前端部が可動枠の盤収納室よりも前側に突出する寸法に設定されたことを特徴とする請求項１記載のパチンコ機の遊技盤取付装置。
【請求項４】
上滑走係合部の前端部における遊技機枠の盤収納室よりも前側に突出する寸法が下滑走係合部の前端部における遊技機枠の盤収納室よりも前側に突出する寸法よりも小さく設定されたことを特徴とする請求項３記載のパチンコ機の遊技盤取付装置。
【請求項５】
枠側取付構造体が嵌合確認機構を備え、盤側取付構造体が盤側取付構造体と枠側取付構造体との相対的な滑走に伴い音を発生する嵌合確認機構を備えたことを特徴とする請求項１記載のパチンコ機の遊技盤取付装置。
【発明の詳細な説明】
【技術分野】
【０００１】
本発明は、遊技盤の遊技機枠への着脱が容易なパチンコ機の遊技盤取付装置に関する。
【背景技術】
【０００２】
パチンコ機には、遊技機枠を前側から見た場合、遊技機枠の左側部に上下一対の枠側取付構造体を前後方向に回転可能に設け、枠側取付構造体を遊技機枠から前側に回転させた状態において、遊技盤の左側部を遊技機枠の前側から枠側取付構造体に挿入し、遊技盤の右側部を人が前側から後側に押すことによって、遊技盤を遊技機枠に取り付けるものが知られている。しかしながら、枠側取付構造体が遊技機枠の上部に設けられる上部枠側取付構造体と遊技機枠の下部に設けられる下部枠側取付構造体とに分割され、上部枠側取付構造体と下部枠側取付構造体とが別々に回転する構造であるので、遊技盤を遊技機枠に取り付けるために、上部枠側取付構造体と下部枠側取付構造体とが遊技機枠から前側に回転させた状態において、遊技盤の左側部を上部枠側取付構造体および下部枠側取付構造体の両方に挿入することが困難であることから、遊技盤の左側部の上部を上部枠側取付構造体に挿入した後に、遊技盤の左側部の下部を下部枠側取付構造体に挿入するか、または、遊技盤の左側部の下部を下部枠側取付構造体に挿入した後に、遊技盤の左側部の上部を上部枠側取付構造体に挿入した場合、先に遊技盤の挿入された上部枠側取付構造体または下部枠側取付構造体が遊技機枠の方向に回転移動し、後から挿入する遊技盤の下部枠側取付構造体または上部枠側取付構造体への挿入が面倒となるというように、遊技盤の枠側取付構造体への取付作業が面倒であるという欠点がある。
【特許文献１】特開平８−１９６４７号公報
【発明の開示】
【発明が解決しようとする課題】
【０００３】
発明が解決しようとする問題点は、遊技盤の遊技機枠への取付作業が面倒であるという点である。
【課題を解決するための手段】
【０００４】
本発明に係るパチンコ機の遊技盤取付装置は、枠側取付構造体が遊技機枠の左側部に回転可能に取り付けられ、盤側取付構造体が遊技盤の左側部に固定的に設けられ、枠側取付構造体が遊技機枠の盤収納室の内部からの遊技機枠の前側に横方向に回転された状態において、遊技盤が遊技機枠に取り付けられるパチンコ機の遊技盤取付装置であって、盤側取付構造体が枠側取付構造体に嵌め合わせて取り付けられる枠側取付構造体が縦骨格部と上滑走係合部および下滑走係合部を備えた一体の形状であり、盤側取付構造体が縦骨格部と上滑走係合部および下滑走係合部を備えた一体の形状であり、遊技盤が遊技機枠に取り付けられる場合、盤側取付構造体の上部に位置する上滑走係合部が枠側取付構造体の上部に位置する上滑走係合部に嵌め込まれ、盤側取付構造体の下部に位置する下滑走係合部が枠側取付構造体の下部に位置する下滑走係合部に嵌め込まれた後、遊技盤の左側部が枠側取付構造体の方向に直線的に押し込まれることによって、遊技盤の左側部が遊技機枠の左側部に盤側取付構造体と枠側取付構造体とで取り付けられたことを最も主要な特徴とする。本発明に係るパチンコ機の遊技盤取付装置において、遊技機枠が開度保持部を備え、枠側取付構造体が前側に回転された場合に遊技機枠の開度保持部と係合して枠側取付構造体の前側に回転された位置を保持するための開度保持部を備えるか、または、枠側取付構造体が前側に回転された場合に上滑走係合部の前端部と下滑走係合部の前端部が遊技機枠の盤収納室よりも前側に突出する寸法に設定されるか、枠側取付構造体が前側に回転された場合に上滑走係合部の前端部と下滑走係合部の前端部が遊技機枠の盤収納室よりも前側に突出する寸法に設定され場合において上滑走係合部の前端部における遊技機枠の盤収納室よりも前側に突出する寸法が下滑走係合部の前端部における遊技機枠の盤収納室よりも前側に突出する寸法よりも小さく設定するか、または、枠側取付構造体が嵌合確認機構を備え、盤側取付構造体が盤側取付構造体と枠側取付構造体との相対的な滑走に伴い音を発生する嵌合確認機構を備えるようにしてもよい。
【発明の効果】
【０００５】
本発明に係るパチンコ機の遊技盤取付装置は、盤側取付構造体が枠側取付構造体に嵌め合わせて取り付けられる枠側取付構造体が縦骨格部と上滑走係合部および下滑走係合部を備えた一体の形状であり、盤側取付構造体が縦骨格部と上滑走係合部および下滑走係合部を備えた一体の形状であり、遊技盤が遊技機枠に取り付けられる場合、盤側取付構造体の上部に位置する上滑走係合部が枠側取付構造体の上部に位置する上滑走係合部に嵌め込まれ、盤側取付構造体の下部に位置する下滑走係合部が枠側取付構造体の下部に位置する下滑走係合部に嵌め込まれた後、遊技盤の左側部が枠側取付構造体の方向に押し込まれることによって、上滑走係合部と上滑走係合部とが互いに嵌まり合って直線的に滑走し、下滑走係合部と下滑走係合部とが互いに嵌まり合って直線的に滑走し、枠側取付構造体と盤側取付構造体とが互いに正常に取り付けられるので、遊技盤を遊技機枠に取り付ける作業を容易に行うことができるという利点がある。遊技機枠が開度保持部を備え、枠側取付構造体が前側に回転された場合に遊技機枠の開度保持部と係合して枠側取付構造体の前側に回転された位置を保持するための開度保持部を備えれば、遊技機枠の開度保持部と枠側取付構造体の開度保持部とが互いに係合することによって、枠側取付構造体の前側に回転された位置が保持されるので、遊技盤を取り付ける場合、枠側取付構造体が前後方向に揺れ動くことがなく、遊技盤を遊技機枠に取り付けたり、遊技盤を遊技機枠から取り外したりする作業を容易に行うことができるという利点がある。枠側取付構造体が前側に回転された場合に上滑走係合部の前端部と下滑走係合部の前端部が遊技機枠の盤収納室よりも前側に突出する寸法に設定されれば、枠側取付構造体の上滑走係合部と盤側取付構造体の上滑走係合部との嵌め合い作業と、枠側取付構造体の下滑走係合部と盤側取付構造体の下滑走係合部との嵌め合い作業とが、遊技機枠の遊技盤を搭載する盤棚よりも前側で行えるという利点がある。上滑走係合部の前端部における遊技機枠の盤収納室よりも前側に突出する寸法が下滑走係合部の前端部における遊技機枠の盤収納室よりも前側に突出する寸法よりも小さく設定されれば、盤側取付構造体の下滑走係合部を枠側取付構造体の下滑走係合部に嵌めて載せた後、盤側取付構造体の上滑走係合部を枠側取付構造体の上滑走係合部に嵌め込むことができ、遊技盤を遊技機枠に取り付けたり、遊技盤を遊技機枠から取り外したりする作業を一層容易に行うことができるという利点がある。枠側取付構造体が嵌合確認機構を備え、盤側取付構造体が盤側取付構造体と枠側取付構造体との相対的な滑走に伴い音を発生する嵌合確認機構を備えれば、枠側取付構造体と盤側取付構造体とが互いに正常に取り付けられたことを音で人に知らせることができるという利点がある。
【発明を実施するための最良の形態】
【０００６】
図１乃至図８は、発明を実施するための最良の形態である。図１は、遊技機枠５と遊技盤８とを分解して示す。図２のａ図は枠側取付構造体１を前側から示す。図２のｂ図は枠側取付構造体１を裏側から示す。図３のａ図は、上ヒンジ３を可動枠６に回転可能に取り付ける構造を示す。図３のｂ図は、上ヒンジ３が可動枠６に回転可能に取り付けられた構造を示す。図４のａ図は、下ヒンジ４を可動枠６に回転可能に取り付ける構造を示す。図４のｂ図は、下ヒンジ４が可動枠６に回転可能に取り付けられた構造を示す。図５のａ図は、枠側取付構造体１が可動枠６の前側に開放された構造を示す。図５のｂ図は、図５のａ図をＢ−Ｂ線に沿い切断した断面を示す。図６のａ図は盤側取付構造体２を前側から示す。図６のｂ図は盤側取付構造体２を裏側から示す。図７は、盤側取付構造体２が取り付けられた遊技盤８を裏側から示す。図８のａ図およびｂ図は、嵌合確認機構７８；１５５の作用を示す。この明細書において、「前」、「後」、「裏」、「左」、「右」、「上」、「下」の方向は、図１の状態に遊技機枠５および遊技盤８を置いて矢印Ａで示す前側から見た場合に特定される方向である。「後」と「裏」とは同じ方向である。
【０００７】
図１を参照し、パチンコ機の遊技盤取付装置における構造について説明する。遊技盤取付装置は、図２で詳述する枠側取付構造体１と図６で詳述する盤側取付構造体２とを備える。枠側取付構造体１は、上ヒンジ３および下ヒンジ４を中心として、遊技機枠５における可動枠６の前側で前側に開かれかつ後側に閉じられるように、可動枠６における盤収納室７の左側部に前後方向に回転可能に取り付けられる。盤側取付構造体２は、遊技盤８の左側部に固定的に取り付けられる。そして、遊技機枠５の前扉９が前側に開けられ、枠側取付構造体１が人によって可動枠６の前側に回転され、可動枠６の開度保持部１１と枠側取付構造体１の開度保持部１２とが互いに係合し、枠側取付構造体１の前側に回転された位置が保持される。このように開度保持部１１と開度保持部１２とが互いに係合した状態において、枠側取付構造体１に前側に回転するような外力が加わった場合、枠側取付構造体１が盤収納室７の左側部に設けられた開度規制部１２０に衝突し、上記開度保持部１１と開度保持部１２との係合が保たれ、枠側取付構造体１が前側にそれ以上回転しない。よって、開度保持部１１および開度保持部１２は、互いに係合することによって、枠側取付構造体１を前側に回転されて最大に開いた角度の位置に保持するものであり、開度規制部１２０は、前側に回転される枠側取付構造体１を受け止めることによって、枠側取付構造体１を前側にそれ以上回転しないように、枠側取付構造体１の開き角度を規制するものである。
【０００８】
次に、人が遊技盤８を手で持ち、遊技盤８の前面が前側に向けられ、遊技盤８の裏面１３が可動枠６の前面に対し斜めに向けられ、遊技盤８の左側部が可動枠６に前側から近づけられ、盤側取付構造体２の上滑走係合部１４および下滑走係合部１５が枠側取付構造体１の上滑走係合部１６および下滑走係合部１７に前側から個別に嵌め込まれる。この場合、開度保持部１１と開度保持部１２とが互いに係合していることによって、枠側取付構造体１が前後方向に回転しがたい状態となっているので、遊技盤８を枠側取付構造体１に挿入する場合、枠側取付構造体１が後側ににげにくくなり、遊技盤８を枠側取付構造体１に挿入する作業性がよい。その後、遊技盤８の左側部が枠側取付構造体１の方向に近くなるように、遊技盤８が人によって押し動かされると、上滑走係合部１４が上滑走係合部１６を直線的に滑走し、下滑走係合部１５が下滑走係合部１７を直線的に滑走し、遊技盤８の下縁部が可動枠６の盤棚１９と平行な態様になり、遊技盤８の枠側取付構造体１に取り込まれた左側部が可動枠６の盤収納室７に配置される。引き続き、遊技盤８の右側部が人によって前側から可動枠６の方向に押されると、枠側取付構造体１が可動枠６の方向に回転し、開度保持部１１と開度保持部１２との係合が解除された後、遊技機枠５のロック操作部２０が遊技盤８のロック挿入孔２２に後側から挿入されて前側に突出する。その状態において、人がロック操作部２０を例えば左方向に９０度回転操作すると、ロック操作部２０がロック挿入孔２２の周りの前面に係合し、遊技盤８が可動枠６の盤収納室７に取り付けられる。遊技盤８が取り付けられた後、前扉９が閉じられる。これによって、パチンコ機が構成される。このパチンコ機は、遊技盤８が遊技機枠５の内部に格納され、遊技盤８の前側が前扉９で覆われ、遊技盤８の遊技領域が遊技機枠５の前側から前扉９の前面パネル２４を通して視認し得る形態である。
【０００９】
遊技機枠５の構造について説明する。遊技機枠５は、固定枠２５の前側に可動枠６を、左側に位置するヒンジ２６を中心として固定枠２５の前側で前側に開かれかつ後側に閉じられるように、片開き可能に備え、可動枠６の前側に前扉９および球皿構造体２７を、左側に位置するヒンジ２８を中心として可動枠６の前側で前側に開かれかつ後側に閉じられるように、個別に片開き可能に備える。固定枠２５は、パチンコ店の図外の遊技機設置構造体に取り付けるための外枠とも呼ばれる。可動枠６は、遊技盤８を取り付ける前枠とも呼ばれ、盤収納室７を内部に備える。盤収納室７の左側部には、枠側取付構造体１が回転可能に設けられる。可動枠６の右縦片部には、施錠装置３１と複数のロック機構３２；３３；３４およびロック解除操作体３５が設けられる。可動枠６は、遊技盤８を装着する前側に開口した盤収納室７の背壁３６に前後方向に貫通する中央開口部３７を備える。背壁３６の右側部には、横長なロック操作部２０を回転可能に備える。
【００１０】
盤収納室７の下縁部は、遊技盤８を搭載する左右方向に平坦な面としての盤棚１９を形成する。盤棚１９から下方に延設された前壁３８の前面には、球発射機構３９、球発射レール４０、戻り球取入口４１、払出球中継樋４２が設けられる。前壁３８の裏面には、機外排出樋４３が設けられる。球発射レール４０は、球皿構造体２７の球供給口４４から供給された１個の球を受け取る。球発射機構３９は、電力の供給と遮断とを交互に受けることによって、球皿構造体２７の球皿部４５から球発射レール４０に供給された球を遊技盤８の遊技領域に向けて１個ずつ発射する。球発射レール４０は、球発射機構３９から発射された球を、遊技盤８における球発射通路の入口に誘導する。払出球中継樋４２は、可動枠６の裏側に設けられた図外の球払出装置から払い出された球を球皿構造体２７の球取入口４６に排出する。機外排出樋４３は、遊技盤８の裏側から排出された球を受け取って遊技機設置構造体における捕球機構に排出する。前扉９は、パネル枠とも呼ばれ、前後方向に貫通する窓４７を囲む額縁形状である。前扉９には、前面パネル２４が、窓４７を裏側から覆うように取り付けられる。前面パネル２４は、ガラスまたは合成樹脂など、光を透過する性質の有る材料からなる板状である。球皿構造体２７の前面には、球皿部４５および球発射操作機構４８が設けられる。球皿部４５は、遊技に使用する球を受ける上方に開口した上方から下方に窪む容器である。球発射操作機構４８は、遊技者が球を発射するために操作するものである。球皿構造体２７の裏面には、球取入口４６および球供給口４４が設けられる。球取入口４６は、払出球中継樋４２から排出された球を球皿部４５に供給する部分である。球供給口４４は、球皿部４５から球発射機構３９に球を供給する部分である。
【００１１】
遊技機枠５では、可動枠６や前扉９および球皿構造体２７が閉じられてロック機構３２；３３；３４で固定枠２５に開閉不能に支持された場合、遊技店の店員が図外のキープレート（鍵）を遊技機枠５の前側から施錠装置３１の鍵穴４９に挿入し、当該キープレートを例えば右側に９０度回転操作すると、固定枠２５と可動枠６とのロック機構３２による支持形態が解除される。この支持形態の解除後に、店員が可動枠６を前側に引くことによって、可動枠６はヒンジ２６を中心として固定枠２５の前側に片開きされる。また、上記施錠装置３１の鍵穴４９に挿入されたキープレートが例えば左側に９０度回転操作されると、可動枠６と前扉９とのロック機構３３による支持形態が解除される。この支持形態の解除後に、店員が前扉９を前側に引くことによって、前扉９はヒンジ２８を中心として可動枠６の前側に片開きされる。このように、前扉９が前側に開かれた状態において、店員が可動枠６の前面に設けられたロック解除操作体３５を操作すると、可動枠６と球皿構造体２７とのロック機構３４による支持形態が解除される。この支持形態の解除後に、店員が球皿構造体２７を前側に引くことによって、球皿構造体２７はヒンジ２８を中心として可動枠６の前側に片開きされる。
【００１２】
遊技盤８の裏側の構造について説明する。遊技盤８の裏面１３には、盤側取付構造体２と盤側配線５１および球案内構造体５２が設けられる。球案内構造体５２は、セット板とも呼ばれ、遊技盤８の前面における図外の内ガイドレールと外ガイドレールとで囲まれた内側の遊技領域から入賞部品やアウト口に取り込まれて遊技盤８の裏側に排出されたパチンコ球と呼ばれる球を、下方に誘導して排出する。遊技盤８の裏側には、遊技盤８の前面に設けられた遊技部品の裏機構が、遊技盤８に形成された図外の逃孔や球案内構造体５２に形成された逃孔５３を経由して遊技盤８の裏側および球案内構造体５２の裏側に突出する。遊技盤８の裏側に突出した裏機構を有する遊技部品は、図柄表示器５４；５５、可動部品５６、可変入賞部品６０、図外の入賞部品、図外のサイドランプなどである。図柄表示器５４は、遊技領域の中央に設けられ、液晶表示器、ＣＲＴ表示器、プラズマディスプレイなどのような電気的に表示形態を変えられる画像を表示画面に表示する画像表示器により形成され、裏機構として図柄制御装置５７を備える。図柄表示器５５は、遊技領域の右側下部に設けられ、複数の図柄の印刷された図柄表示体をステップモータで回転する構造であって、裏機構としてステップモータを備える。球案内構造体５２の裏面には、主制御装置５８および演出制御装置５９が設けられる。
【００１３】
図２を参照し、枠側取付構造体１の構造について説明する。枠側取付構造体１は、縦骨格部６４に、上ヒンジ３、下ヒンジ４、開度保持部１２、上滑走係合部１６、下滑走係合部１７、上骨格部６８、下骨格部７２、嵌合確認機構７８を備える。縦骨格部６４は、金属板を直角に折り曲げたことにより、縦長な縦骨格後基盤６６と、縦骨格後基盤６６の左縁部から前側に直角に突出た縦長な縦骨格左基盤６７とを備える。縦骨格部６４の上部には、上骨格部６８が設けられる。上骨格部６８は、縦骨格後基盤６６の上端部から右側に直線的に突出した縦板状の上滑走係合部１６と、上滑走係合部１６の上縁部から前側に直角に折り曲げられた上骨格上基盤６９と、上骨格上基盤６９の前縁部から下側に直角に折り曲げられた上骨格前基盤７０とを備える。上滑走係合部１６と上骨格上基盤６９および上骨格前基盤７０は、上誘導溝７１を下方および右側に開口した形状に構成する。上骨格上基盤６９には、上ヒンジ３が、上骨格部６８から上方に直線的に突出した、ヒンジピンと呼ばれる金属製の丸棒として設けられる。縦骨格部６４の下部には、下骨格部７２が設けられる。下骨格部７２は、縦骨格後基盤６６の下端部から右側に直線的に突出した縦板状の下滑走係合部１７と、下滑走係合部１７の下縁部から前側に直角に折り曲げられた下骨格下基盤７３と、下骨格下基盤７３の前縁部から上側に直角に折り曲げられた下骨格前基盤７４とを備える。下滑走係合部１７と下骨格下基盤７３および下骨格前基盤７４は、下誘導溝７５を上側および右側に開口した形状に構成する。
【００１４】
下骨格部７２には、嵌合確認機構７８が設けられる。嵌合確認機構７８は、図１の可動枠６に遊技盤８を取り付ける場合に枠側取付構造体１と盤側取付構造体２とが正常に取り付けられたことを音で人に知らせる機構である。図２に戻り、嵌合確認機構７８は、レバー軸７９、確認レバー８０、ばね８１を備える。レバー軸７９は、金属製の丸棒であって、下滑走係合部１７に固定され、下滑走係合部１７の裏面から裏側に直線的に突出する。確認レバー８０は、金属板からなり、レバー軸７９に下滑走係合部１７の裏面と平行するように上下方向に回転可能に取り付けられる。ばね８１は、金属からなるコイルばねにより構成される。ばね８１の一端部が下滑走係合部１７に固定され、ばね８１の他端部が確認レバー８０に固定されることによって、ばね８１が確認レバー８０のレバー軸７９よりも上方に突出した先端部を矢印Ｗ３で示す下側から上側の方向に付勢する。確認レバー８０がばね８１で付勢されることによって、確認レバー８０の先端部が下滑走係合部１７に設けられたストッパー８２に衝突してそれ以上前側に行かないように停止する。嵌合確認機構７８の作用は、図８により後述する。開度保持部１２は、上ヒンジ３を中心とする１つの円周上に位置し、上骨格上基盤６９に上下方向への貫通孔として設けられる。
【００１５】
図３を参照し、枠側取付構造体１の上部が可動枠６に回転可能に取り付けられる構造について説明する。図３のａ図において、可動枠６の盤収納室７における左側部の上部には、上軸受部１１８、上取付部１１９が設けられる。上軸受部１１８は、上ヒンジ３を可動枠６の前側から収納し得る窪みであって、可動枠６の前面および盤収納室７に開口する。上取付部１１９は、上軸受部１１８の周囲に位置し、可動枠６の前面から前側に突出する。上取付部１１９には、ねじ取付孔１２２が、上取付部１１９の前面から内部への窪みとして設けられる。上ヒンジ支持体１２３は、上前面板１２４および上軸抜止部１２５を備える。上軸抜止部１２５は、上前面板１２４の裏面から後側に突出する。上前面板１２４には、ねじ挿入孔１２６および上嵌合部１２７が設けられる。ねじ挿入孔１２６は、上軸抜止部１２５の周囲に位置し、前後方向への貫通孔である。上嵌合部１２７は、上取付部１１９を前側から収納し得る窪みであって、ねじ挿入孔１２６を中心とし、上前面板１２４の裏面から内部に窪む。
【００１６】
そして、枠側取付構造体１の上ヒンジ３が可動枠６の前側から上軸受部１１８に挿入され、上骨格部６８が可動枠６から下方に離れて盤収納室７に配置される。その後、上軸抜止部１２５が可動枠６の前側から上軸受部１１８に挿入され、上嵌合部１２７が上取付部１１９に前側から嵌め込まれ、タッピングスクリューのような止ねじ１２８が上ヒンジ支持体１２３の前側からねじ挿入孔１２６を経由して可動枠６のねじ取付孔１２２に締結される。これによって、図３のｂ図に示すように、上ヒンジ支持体１２３が可動枠６に取り付けられ、上軸抜止部１２５が上軸受部１１８の前部を塞ぎ、上ヒンジ３が上ヒンジ支持体１２３で上軸受部１１８に回転可能に取り付けられる。
【００１７】
図４を参照し、枠側取付構造体１の下部が可動枠６に回転可能に取り付けられる構造について説明する。図４のａ図において、可動枠６の盤収納室７における左側部の下部には、下後軸受部１３０および下取付部１３１が設けられる。下後軸受部１３０は、下ヒンジ４の後半部を前側から収納し得る窪みであって、可動枠６の前面から内部に半円弧状に窪む。下取付部１３１は、下後軸受部１３０の周囲に位置し、可動枠６の前面から前側に突出する。下取付部１３１には、ねじ取付孔１３３が、下取付部１３１の前面から内部への窪みとして設けられる。下ヒンジ支持体１３４には、下前軸受部１３５とねじ挿入孔１３６および下嵌合部１３７が設けられる。下前軸受部１３５は、下ヒンジ４の前部を前側から収納し得る窪みであって、下ヒンジ支持体１３４の裏面から前側である内部に半円弧状に窪む。ねじ挿入孔１３６は、下前軸受部１３５の周囲に位置し、前後方向への貫通孔である。下嵌合部１３７は、下取付部１３１を前側から収納し得る窪みであって、ねじ挿入孔１３６を中心とし、下ヒンジ支持体１３４の裏面から前側である内部へ窪む。
【００１８】
そして、枠側取付構造体１の下ヒンジ４が可動枠６の前側から下後軸受部１３０に接触され、枠側取付構造体１の下骨格部７２が可動枠６から上方に離れて盤収納室７に配置される。その後、下ヒンジ支持体１３４の下前軸受部１３５が可動枠６の前側から下ヒンジ４に嵌め込まれ、下ヒンジ支持体１３４の下嵌合部１３７が下取付部１３１に前側から嵌め込まれ、タッピングスクリューのような止ねじ１３８が下ヒンジ支持体１３４の前側からねじ挿入孔１３６を経由してねじ取付孔１３３に締結される。これによって、図４のｂ図に示すように、下ヒンジ４が下後軸受部１３０と下前軸受部１３５とで前後から挟まれ、下ヒンジ支持体１３４が可動枠６に取り付けられ、下ヒンジ４が下ヒンジ支持体１３４で下後軸受部１３０に回転可能に取り付けられる。図３乃至図４で述べたように枠側取付構造体１が可動枠６に取り付けられることによって、枠側取付構造体１は、図１に示すように、上ヒンジ３および下ヒンジ４を中心として可動枠６から前側に横方向に開けられるとともに、可動枠６の前側から後側に横方向に閉じられるようになっている。
【００１９】
図５のａ図を参照し、開度保持部１１と開度保持部１２と開度規制部１２０との関係について説明する。開度保持部１１は、板ばね８３と突起８４とを備える。板ばね８３は、盤収納室７における背壁３６の前面に前側から固定的に取り付けられる。突起８４は、板ばね８３における背壁３６の前面から前側に突出した前端部から下側に突出するように、板ばね８３の前端部に設けられる。開度規制部１２０は、可動枠６の背壁３６から前側に突出するように背壁３６に設けられた突起である。
【００２０】
図５のｂ図を参照し、枠側取付構造体１が上ヒンジ３および下ヒンジ４を中心として可動枠６から矢印Ｗ１で示す前側に横方向に開放された場合と、枠側取付構造体１が上ヒンジ３および下ヒンジ４を中心として可動枠６の前側から矢印Ｗ２で示す後側に横方向に閉じられた場合とにおける、可動枠６と枠側取付構造体１との関係について説明する。枠側取付構造体１が、人によって、仮想線で示す位置から矢印Ｗ１で示す前側に横方向に開放されて実線で示す位置に到達すると、可動枠６の開度保持部１１と枠側取付構造体１の開度保持部１２とが互いに係合し、枠側取付構造体１が、それ以上、矢印Ｗ１で示す前側に回転しないように停止する。このように開度保持部１１と開度保持部１２とが互いに係合した場合、枠側取付構造体１の縦骨格後基盤６６が開度規制部１２０に接触するかまたは接触する程度に近づく。そして、枠側取付構造体１に前側に回転するような外力が加わった場合、縦骨格後基盤６６が開度規制部１２０に衝突し、上記開度保持部１１と開度保持部１２との係合が保たれ、枠側取付構造体１が前側にそれ以上回転しない。これによって、枠側取付構造体１の上骨格部６８の前端部および下骨格部７２の前端部は、可動枠６の盤収納室７および盤棚１９よりも前側に突出する。
【００２１】
次に、枠側取付構造体１が実線で示すように開度保持部１１と開度保持部１２とが互いに係合した状態において、枠側取付構造体１が人または図１の盤側取付構造体２によって開度保持部１１における板ばね８３のばね力に抗して矢印Ｗ２で示す後側に回転されと、板ばね８３が上側に撓み、突起８４が開度保持部１２の周囲における上骨格部６８で持ち上げられて開度保持部１２から解除され、枠側取付構造体１が、実線で示す位置から矢印Ｗ２で示す後側に押されて横方向に閉じられて仮想線で示す位置に到達する。仮想線で示す位置の枠側取付構造体１と実線で示す位置の枠側取付構造体１とからなる枠側取付構造体１の最大開き角度θ１は、例えば、４５度になっている。仮想線で示す位置の前扉９における可動枠６の一点鎖線Ｌ１で示す前面に対する前側への最大開き角度θ２は、例えば、１２０度になっている。よって、枠側取付構造体１の最大開き角度θ１は、前扉９の最大開き角度θ２よりも小さい角度である（θ１＜θ２）。
【００２２】
図６を参照し、盤側取付構造体２の構造について説明する。盤側取付構造体２は、縦骨格部１３９に、上骨格部１４０、下骨格部１４２、上滑走係合部１４、下滑走係合部１５、嵌合確認機構１５５を備える。縦骨格部１３９は、金属板を直角に折り曲げたことにより、縦長な縦骨格後基盤１４４と、縦骨格後基盤１４４の左縁部から前側に直角に突出た縦長な縦骨格左基盤１４５とを備える。縦骨格部１３９の上部には、上骨格部１４０が設けられる。上骨格部１４０は、縦骨格後基盤１４４の上端部から右側に直線的に突出した縦板状の上骨格後基盤１４６と、上骨格後基盤１４６の前縁部から前側に直角に折り曲げられた上骨格上基盤１４７と、上骨格後基盤１４６の下縁部から後側に離れた後に上側に折り曲げられた上滑走係合部１４とを備える。上滑走係合部１４と上骨格後基盤１４６との間には、上誘導溝１４８が、上側と左側および右側に開口した形状に構成される。上誘導溝１４８は、図１の上滑走係合部１６を移動可能に取り込む溝である。縦骨格部１３９の下部には、下骨格部１４２が設けられる。下骨格部１４２は、縦骨格後基盤１４４の下端部から右側に直線的に突出した縦板状の下骨格後基盤１４９と、下骨格後基盤１４９の下縁部から前側に直角に折り曲げられた下骨格下基盤１５０と、下骨格後基盤１４９の上縁部から後側に離れた後に下側に折り曲げられた下滑走係合部１５とを備える。下滑走係合部１５と下骨格後基盤１４９との間には、下誘導溝１５１が、下側と左側および右側に開口した形状に構成される。下誘導溝１５１は、図１の下滑走係合部１７を移動可能に取り込む溝である。縦骨格後基盤１４４と上骨格後基盤１４６および下骨格後基盤１４９には、木ねじのような止ねじ１５２を挿入するためのねじ挿入孔１５３が設けられる。
【００２３】
縦骨格部１３９には嵌合確認機構１５５が設けられる。嵌合確認機構１５５は、図１の可動枠６に遊技盤８を取り付ける場合に枠側取付構造体１と盤側取付構造体２とが正常に接続されたことを音で人に知らせる機構である。図６に戻り、嵌合確認機構１５５は、レバー軸１５６、確認レバー１５７、ばね１５８を備える。レバー軸１５６は、金属製の丸棒であって、縦骨格後基盤１４４に固定され、縦骨格後基盤１４４の裏面から裏側に直線的に突出する。確認レバー１５７は、金属板からなり、レバー軸１５６に縦骨格後基盤１４４の裏面と平行するように上下方向に回転可能に取り付けられる。ばね１５８は、金属からなるコイルばねにより構成される。ばね１５８の一端部が縦骨格後基盤１４４に固定され、ばね１５８の他端部が確認レバー１５７に固定されることによって、ばね１５８が確認レバー１５７のレバー軸１５６よりも下方に突出した先端部を矢印Ｗ４で示す上側から下側の方向に付勢する。確認レバー１５７がばね１５８で付勢されることによって、確認レバー１５７の先端部が縦骨格後基盤１４４に設けられたストッパー１５９に衝突してそれ以上左側に行かないように停止する。嵌合確認機構１５５の作用は、図８により後述する。
【００２４】
図７を参照し、盤側取付構造体２が遊技盤８に取り付けられた構造について説明する。縦骨格後基盤１４４と上骨格後基盤１４６および下骨格後基盤１４９が遊技盤８の裏面１３に裏側から接触され、上骨格上基盤１４７が遊技盤８の上端面に接触され、下骨格下基盤１５０が遊技盤８の下端面に接触され、縦骨格左基盤１４５が遊技盤８の左端面に接触される。その状態において、止ねじ１５２が盤側取付構造体２の裏側から図６のねじ挿入孔１５３を経由して遊技盤８に締結される。これによって、盤側取付構造体２が遊技盤８の左側部に固定的に取り付けられる。このように盤側取付構造体２を備えた遊技盤８が枠側取付構造体１に取り付けられる場合、盤側取付構造体２が枠側取付構造体１に嵌め込まれるのに伴い、嵌合確認機構７８と嵌合確認機構１５５とが互いに衝突して動き、枠側取付構造体１と盤側取付構造体２とが互いに正常に取り付けられたことを音で人に知らせる。この嵌合確認機構７８と嵌合確認機構１５５との作用は、図８で後述する。
【００２５】
図８を参照し、嵌合確認機構７８と嵌合確認機構１５５との作用について説明する。図８のａ図に示すように、盤側取付構造体２が枠側取付構造体１に矢印Ｘ２で示す方向に嵌め込まれるのに伴い、ストッパー１５９で受け止められている確認レバー１５７の先端部が確認レバー８０の先端部に衝突し、確認レバー８０が確認レバー１５７で押されてばね８１のばね力に抗しレバー軸７９を中心として矢印Ｗ５で示す方向に回転して確認レバー１５７を逃げる。この矢印Ｗ５で示す方向への回転によって、確認レバー８０は、実線で示す状態から仮想線で示す状態となり、確認レバー１５７の先端部が確認レバー８０の先端部を矢印Ｘ２で示す方向に通過する。そして、確認レバー１５７の先端部が確認レバー８０の先端部を矢印Ｘ２で示す方向に通過するのに伴い、確認レバー８０がばね８１のばね力によってレバー軸７９を中心として矢印Ｗ６で示す方向に回転しストッパー８２に衝突して金属音を発生する。この金属音が発生することによって、嵌合確認機構７８および嵌合確認機構１５５が、枠側取付構造体１と盤側取付構造体２とが互いに正常に取り付けられたことを、音で、人に知らせることができる。
【００２６】
図８のｂ図に示すように、盤側取付構造体２が枠側取付構造体１に矢印Ｘ３で示す方向に引き抜かれるのに伴い、ストッパー８２で受け止められている確認レバー８０の先端部が確認レバー１５７の先端部に衝突し、確認レバー１５７が確認レバー８０で押されてばね１５８のばね力に抗しレバー軸１５６を中心として矢印Ｗ７で示す方向に回転して確認レバー８０を逃げる。この矢印Ｗ７で示す方向に回転によって、確認レバー８０は、実線で示す状態から仮想線で示す状態となり、確認レバー１５７の先端部が確認レバー８０の先端部を矢印Ｘ３で示す方向に通過する。そして、確認レバー１５７の先端部が確認レバー８０の先端部を矢印Ｘ３で示す方向に通過するのに伴い、確認レバー１５７がばね１５８のばね力によってレバー軸１５６を中心として矢印Ｗ８で示す方向に回転してストッパー１５９に受け止められる。
【００２７】
最良の形態によれば、図１において、枠側取付構造体１が縦骨格部６４と上滑走係合部１６および下滑走係合部１７を備えた一体の形状であり、盤側取付構造体２が縦骨格部１３９と上滑走係合部１４および下滑走係合部１５を備えた一体の形状であって、枠側取付構造体１が可動枠６の左側部に回転可能に取り付けられ、盤側取付構造体２が遊技盤８の左側部に固定的に設けられており、枠側取付構造体１が可動枠６の盤収納室７の内部からの可動枠６の前側に横方向に回転された状態において、遊技盤８を取り付ける場合、盤側取付構造体２の下骨格部１４２（図６参照）が枠側取付構造体１の下誘導溝７５（図２参照）に嵌め込まれ、盤側取付構造体２の上骨格部１４０（図６参照）が枠側取付構造体１の上誘導溝７１（図２参照）に嵌め込まれた後、遊技盤８の左側部が枠側取付構造体１の縦骨格部６４（図２参照）の方向に押し込まれることによって、上滑走係合部１６が上誘導溝１４８（図６参照）に取り込まれ、上滑走係合部１４と上滑走係合部１６とが互いに嵌まり合って直線的に滑走し、下滑走係合部１７が下誘導溝１５１（図６参照）に取り込まれ、下滑走係合部１５と下滑走係合部１７とが互いに嵌まり合って直線的に滑走し、枠側取付構造体１と盤側取付構造体２とが互いに正常に取り付けられるので、遊技盤８を可動枠６に取り付ける作業を容易に行うことができるという利点がある。
【００２８】
可動枠６が開度保持部１１を備え、枠側取付構造体１が開度保持部１２を備えているので、開度保持部１１と開度保持部１２とが互いに係合することによって、枠側取付構造体１の前側に回転された位置が保持されるので、遊技盤８を取り付ける場合、枠側取付構造体１が前後方向に揺れ動くことがなく、遊技盤８を可動枠６に取り付けたり、遊技盤８を可動枠６から取り外したりする作業を容易に行うことができるという利点がある。
【００２９】
図５のｂ図に示すように、上ヒンジ３の中心と上滑走係合部１６の前端部との間の寸法Ｌ、下ヒンジ４中心と下滑走係合部１７の前端部との間の寸法Ｌは、枠側取付構造体１が可動枠６の盤収納室７の内部からの可動枠６の前側に横方向に回転された場合に、上滑走係合部１６の前端部および下滑走係合部１７の前端部が可動枠６の盤収納室７の下縁部である盤棚１９よりも前側に突出する寸法に設定されているので、上滑走係合部１４と上滑走係合部１６との嵌め合い作業と、下滑走係合部１５と下滑走係合部１７との嵌め合い作業とが、盤棚１９よりも前側で行えるという利点がある。
【００３０】
枠側取付構造体１が嵌合確認機構７８を備え、盤側取付構造体２が嵌合確認機構１５５を備えているので、枠側取付構造体１と盤側取付構造体２とが互いに正常に取り付けられたことを、音で、人に知らせることができるという利点がある。
【産業上の利用可能性】
【００３１】
枠側取付構造体１の最大開き角度θ１は、４５度に限定されるものではなく、図５のｂ図に示すように、枠側取付構造体１が上ヒンジ３および下ヒンジ４を中心として前側に回転した場合、枠側取付構造体１が前側に開かれた前扉９と衝突しないで、遊技盤８を可動枠６の前側から取り付けたり取り外したりする操作が可能な範囲であればよい。その範囲は、例えば、４０度から８０度の範囲であろう。
【００３２】
図５のｂ図において、上ヒンジ３の中心と上滑走係合部１６の前端部との間の寸法Ｌ、下ヒンジ４中心と下滑走係合部１７の前端部との間の寸法Ｌとを同じに設定したが、上ヒンジ３の中心と上滑走係合部１６の前端部との間の寸法Ｌを下ヒンジ４中心と下滑走係合部１７の前端部との間の寸法Ｌより短くすれば、盤側取付構造体２の下滑走係合部１５を下滑走係合部１７に嵌めて載せた後、盤側取付構造体２の上滑走係合部１４を上滑走係合部１６に嵌め込むことができるので、遊技盤８を可動枠６に取り付けたり、遊技盤８を可動枠６から取り外したりする作業を一層容易に行うことができるという利点がある。
【図面の簡単な説明】
【００３３】
【図１】遊技機枠と遊技盤とを示す分解斜視図（最良の形態）。
【図２】枠側取付構造体を示し、ａ図は前側からの斜視図、ｂ図は裏側からの斜視図（最良の形態）。
【図３】上ヒンジの取付構造を示し、ａ図は分解斜視図、ｂ図は組立斜視図（最良の形態）。
【図４】下ヒンジの取付構造を示し、ａ図は分解斜視図、ｂ図は組立斜視図（最良の形態）。
【図５】ａ図は枠側構造躯体の上部が可動枠の前側に開放された構造の前側からの斜視図、ｂ図はａ図のＢ−Ｂ線断面図（最良の形態）。
【図６】盤側取付構造体を示し、ａ図は前側からの斜視図、ｂ図は裏側からの斜視図（最良の形態）。
【図７】盤側取付構造体を備えた遊技盤の裏側からの斜視図（最良の形態）。
【図８】嵌合確認機構の作用を示す模式図（最良の形態）。
【符号の説明】
【００３４】
１    枠側取付構造体
２    盤側取付構造体
３    上ヒンジ
４    下ヒンジ
５    遊技機枠
６    可動枠
７    盤収納室
８    遊技盤
１１  開度保持部
１２  開度保持部
１４  上滑走係合部
１５  下滑走係合部
１６  上滑走係合部
１７  下滑走係合部
【図１】
2006254933.tif 000003
【図２】
2006254933.tif 000004
【図３】
2006254933.tif 000005
【図５】
2006254933.tif 000006
【図６】
2006254933.tif 000007
【図７】
2006254933.tif 000008
【図８】
2006254933.tif 000009
【図４】
2006254933.tif 000010